(57)【要約】      （修正有）【課題】ケース本体に突出部がなく、ケース本体が美しく、安全で強力に携帯電話ケースを把持できるロータリー携帯電話ケースを提供する。【解決手段】ロータリー携帯電話ケースは、前面が開放された中空な構造で、裏面に結合貫通孔が形成されたケース本体１０と、外周面が結合貫通孔の内周面に回転可能に設けられた回転リング部材と、回転リング部材の内周面に設置されたヒンジ結合凹部と、ヒンジ結合凹部の両端部と連通されるように回転リング部材の内周面に形成されたスプリング挿入部とを有する回転部材３０と、指把持リングと、指把持リングの外周面に一体に形成され、ヒンジ結合凹部に設置されたヒンジ端と、ヒンジ端の一端、指把持リングの一つの側面及びヒンジ端の他端が連通されるように形成されたスプリング挿入溝とを有する指把持部材５０と、スプリング挿入溝に挿入されて、両端部がスプリング挿入部に強制的に押し入れたスプリング部材７０からなる。【選択図】図２
0003221936.tif 000002
【実用新案登録請求の範囲】
【請求項１】
前面が開放された中空な構造で、裏面に結合貫通孔が形成されたケース本体と、
外周面が上記結合貫通孔の内周面に回転可能に設けられた回転リング部材と、上記回転リング部材の内周面に設置されたヒンジ結合凹部と、上記ヒンジ結合凹部の両端部に連通されるように上記回転リング部材の内周面に形成されたスプリング挿入部と、を有する回転部材と、
指把持リングと、上記指把持リングの外周面に一体に形成され、上記ヒンジ結合凹部に設置されたヒンジ端と、上記ヒンジ端の一端、上記指把持リングの一つの側面及び上記ヒンジ端の他端が連通されるように形成されたスプリング挿入溝と、を有する指把持部材と、
上記スプリング挿入溝に挿入されて、両端部が上記スプリング挿入部に強制的に押し入れたスプリング部材と、を含み、
上記結合貫通孔の内周面は、第1両端周面部と上記第1両端周面部の内側に位置する第1中央周面部からなり、上記第1両端周面部は、ラウンド面取りされており、上記第1中央周面部は、上記結合貫通孔の内径より0.1〜1mm大きく形成されており、上記第1中央周面部には、同じ間隔で離隔された複数のストッパー突起が形成されており、
上記回転リング部材の外周面は、第2両端周面部と上記第2両端周面部の内側に位置する第2中央周面部からなり、上記第2両端周面部は、ラウンド面取りされており、上記第2中央周面部は、半径方向の断面形状が半弧である凸部が形成されており、上記第2中央周面部の周面には、上記ストッパー突起が挿入又は離脱可能に同じ間隔で複数のストッパー凹溝が形成されていることを特徴とするロータリー携帯電話ケース。
【請求項２】
上記指把持部材は、上記指把持リングの内周面に形成された引出し端部と、上記指把持リングの外周面に設置されたカバー突起とを更に含むことを特徴とする請求項１に記載のロータリー携帯電話ケース。
【考案の詳細な説明】
【技術分野】
【０００１】
本考案は、ロータリー携帯電話ケースに関する。
【背景技術】
【０００２】
大韓民国登録特許第1392562号（登録日：2014.04.29、発明の名称：交換型モジュールを具備する携帯端末用ケース）には、携帯端末の外面を囲んで保護するケースと、上記ケースの裏面で凹んで形成された装着溝と、上記装着溝に回転可能に接続されるコネクタと、上記コネクタに対して回転されるように接続されて、畳まれると上記装着溝に収納されることができ、展開すると、上記携帯端末の据え置き台として機能する動作部によりなる交換型モジュールと、を含んで構成されることを特徴とする交換型モジュールを具備する携帯端末用ケースが開示されている。
【０００３】
このような先行技術は、簡単な操作によって動作部を展開して、望む角度で携帯端末を据え置いて使用できる利点があり、様々なデザインと機能を備えるものとして制作できる交換型モジュールは、容易に交換して使用でき、交換型モジュールの動作部にミラー、拡大鏡、交通カード等の機能を結合できるので、複合的な用途を有する携帯端末用ケースを提供できる効果を持っている。しかし、脱着溝210にコネクタ310を回動可能に結合するために携帯電話ケースの厚さが厚くなり、他の一方面では、コネクタ310の末端が回動する方式であるので、反復使用による耐久性の低下に起因して破損される確率が高くなり、据え置く時不安定な欠点がある。
【考案の概要】
【考案が解決しようとする課題】
【０００４】
本考案は、上記の問題を解決するためのロータリー携帯電話ケースであって、ケース本体に突出部がなく、ケース本体が美しくて、安全で強力に携帯電話ケースを把持できるロータリー携帯電話ケースを提供することを目的とする。
【課題を解決するための手段】
【０００５】
このような本考案を目的は、前面が開放された中空な構造で、裏面に結合貫通孔が形成されたケース本体と、
外周面が上記結合貫通孔の内周面に回転可能に設けられた回転リング部材と、上記回転リング部材の内周面に設置されたヒンジ結合凹部と、上記ヒンジ結合凹部の両端部と連通されるように上記回転リング部材の内周面に形成されたスプリング挿入部と、を有する回転部材と、
指把持リングと、上記指把持リングの外周面に一体に形成され、上記ヒンジ結合凹部に設置されたヒンジ端と、上記ヒンジ端の一端、上記指把持リングの一つの側面及び上記ヒンジ端の他端が連通されるように形成されたスプリング挿入溝と、を有する指把持部材と、
上記スプリング挿入溝に挿入されて、両端部が上記スプリング挿入部に強制的に押し入れたスプリング部材と、を含むロータリー携帯電話ケースによって達成することができる。
【０００６】
好ましくは、本考案の上記結合貫通孔の内周面は、第1両端周面部と上記第1両端周面部の内側に位置する第1中央周面部からなり、上記第1両端周面部はラウンド面取りされており、上記第1中央周面部外周面は、上記結合貫通孔の内径より0.1〜1mm大きく形成されており、上記第1中央周面部には、同じ間隔で離れた複数のストッパー突起が形成されており、上記回転リング部材の外周面は、第2両端周面部と上記第2両端周面部の内側に位置する第2中央周面部からなり、上記第2両端周面部はラウンド面取りされており、上記第2中央周面部は半径方向の断面形状が半弧である凸部が形成されており、上記第2中央周面部の周面には上記ストッパー突起が挿入又は離脱できるように同じ間隔で複数のストッパー凹溝が形成されていることを特徴とする。
【０００７】
好ましくは、本考案の上記指把持部材は、上記指把持リングの内周面に形成された引出し端部と、上記指把持リングの外周面に設置されたカバー突起を更に含むことを特徴とする。
【考案の効果】
【０００８】
上記のような本考案は、携帯電話を保護するとともに、安全で便利に携帯電話の使用を実現できる効果を有する。
【図面の簡単な説明】
【０００９】
【図１】図1は、本考案によるロータリー携帯電話ケースの斜視図である。
【図２】図2は、図1のロータリー携帯電話ケースの据え置きリングが展開された状態を示す斜視図である。
【図３】図3は、図1の分解立体図である。
【考案を実施するための形態】
【００１０】
以下では、本考案の実施例を図面を参照して説明する。
図1乃至図3を参照すると、ロータリー携帯電話ケース100は、ケース本体10と、回転部材30と、指把持部材50と、スプリング部材70とによりなる。
ケース本体10は、前面が開放された中空な構造で、上部面及び側面に複数の貫通孔（図面標記なし）が形成されている。ここで、ケース本体10の貫通孔は、携帯電話（図面に示しない）のカメラボタン、イヤホンジャック、電源ボタン等が露出されるように形成されており、本実施例の技術的な主旨に不必要な構成要素であるので、詳細な説明や図示を省略する。
【００１１】
また、ケース本体10は、裏面に結合貫通孔11が形成されている。ここで、貫通孔11は正円として加工する。
【００１２】
また、結合貫通孔11の内周面は、第1両端周面部iw-oと、第1両端周面部iw-oの内側に位置する第1中央周面部iw-iとに区分されており、第1両端周面部iw-oは、ラウンド面取りされており、第1中央周面部iw-iは、結合貫通孔11の内径より大きい内径を持つように加工されている。ここで、第1中央周面部iw-iの内径は、結合貫通孔11の内径より0.1〜1mm程度大きく加工されている。
【００１３】
また、第1中央周面部iw-iには、同じ間隔で離隔された複数のストッパー突起15が形成されている。
【００１４】
回転部材30は、外周面が結合貫通孔11の内周面に回転可能に設けられた回転リング部材31と、回転リング部材31の内周面に設置されたヒンジ結合凹部33と、ヒンジ結合凹部33の両端部と連通されるように回転リング部材31の内周面に形成されたスプリング挿入部35とによりなる。
【００１５】
回転リング部材30の外周面は、第2両端周面部ow-oと、第2両端周面部ow-oの内側に位置する第2中央周面部ow-iとに区分されており、第2両端周面部ow-oは、ラウンド面取りされており、第2中央周面部ow-iには、半径方向の断面形状が半弧である凸部が形成されており、第2中央周面部ow-iの周面には、ストッパー突起15が挿入又は離脱されるように同じ間隔でストッパー凹溝31aが形成されている。
【００１６】
ここで、回転リング部材30の外周面は回転または回動されるように正円として制作すべきであるが、内周面は、ユーザーの指が挿入される部分であるので、必ずに正円である必要がなく、多様な形状として変形してもよい。
【００１７】
スプリング挿入部35は、後述されるスプリング部材70の両端部が挿入されるように設置されたもので、一側面が開口された切り溝の形状を有することが望ましい。
【００１８】
指把持部材50は、指把持リング51と、指把持リング51の外周面に一体に形成され、またヒンジ結合凹部33に設置されたヒンジ端53と、ヒンジ端53の一端と指把持リング51の一側面とヒンジ端53の他端が連通されるように形成されたスプリング挿入溝55とによりなる。
【００１９】
指把持部材50は、指把持リング51の内周面に引出し端部57を更に含む。本実施例の引出し端部57は、凹部として形成されたが、これに限られなく、凸部として変形実施されてもよい。ここで、引出し端部57は、ヒンジ端53の対向の位置に設置されることが望ましい。
また、指把持部材50は、指把持リング51の外周面に設置されたカーバ突起59により構成される。
【００２０】
スプリング部材70は、スプリング挿入溝55に挿入されて、両端部がスプリング挿入部35に強制的に押し入れている。
【００２１】
このような構成を持つ本実施例のロータリー携帯電話ケース100は、組み合わせ方法を簡単に説明すると、以下の通りである。図3に示すように、スプリング部材70をスプリング挿入溝55に挿入した後、両端部をスプリング挿入部35に強制的に押し入れて、指把持部材50を回転部材30に組み合わせる。その後、指把持部材50が組み合わせた回転部材30の一側面を結合貫通孔11に密着させて、打撃を加える又は加圧して、回転部材30を結合貫通孔11に強制的に押し入れて、組み合わせを完了する。この時、ストッパー突起15がストッパー凹溝31aに挿入されない場合には、指把持リング51に指を入れて回転させて、ストッパー突起15がストッパー凹溝31aに挿入されるようにして、回転部材30を結合貫通孔11に固定させる。
【００２２】
また、ロータリー携帯電話ケース100の使用方法を簡単に説明すると、以下の通りである。まず、図1の状態から引出し端部57を指先で引き出して、指把持部材50を展開する。この時、指把持部材50はスプリング部材70を基準として回動されて展開される。
【００２３】
その後、指把持部材50の指把持リング51に、食指又は中指を挿入した後、他の指又は手のひらによって、ロータリー携帯電話ケース100の裏面を含む全体を把持した状態で望む角度に回転させて使用する。この時、回転する時にはストッパー突起15がストッパー凹溝31aから離脱されて、望む角度で回転された時停止すると、ストッパー突起15がストッパー凹溝31aに挿入されて、回転部材30がもう回転されなく固定される。
【００２４】
また、本実施例のロータリー携帯電話ケース100は、据え置き式としても使用できるが、携帯電話ケース100を挙げて使用することが基本的な使用例である。
上記のような本考案は、1つの実施例に限られて説明されたが、これに限られなく、本考案の技術的な主旨のもとに変形した実施例は、全部本考案の権利範囲に属することは明らかである。
【符号の説明】
【００２５】
10:ケース本体
30:回転部材
31:回転リング部材                                         
33:ヒンジ結合凹部
35:スプリング挿入部
50:指把持部材
51:指把持リング                              
53:ヒンジ端
55:スプリング挿入溝
70:スプリング部材
100:ロータリー携帯電話ケース
【図１】
0003221936.tif 000003
【図２】
0003221936.tif 000004
【図３】
0003221936.tif 000005